(57)【要約】【課題】  ボトムス衣類の除湿および消臭に最適な除湿・消臭具の提供。【解決手段】  除湿・消臭具１は、除湿剤および／または消臭剤が配合され、ボトムス衣類２００が掛けられて除湿および／または消臭するシート本体２と、シート本体２の一方の縁辺部に設けられ、ハンガー１００の横架部１０３に取着する取着機構３，４と、を具備する。【選択図】図１
2020110333.tif 000002
【特許請求の範囲】
【請求項１】
除湿剤および／または消臭剤が配合され、ボトムス衣類が掛けられて除湿および／または消臭するシート体と、
前記シート体の一方の縁辺部に設けられ、ハンガーの横架部に取着する取着機構と、
を具備することを特徴とする除湿・消臭具。
【請求項２】
前記取着機構は、前記シート体が前記横架部の外周に巻回されて前記横架部を被包する状態に取着し、前記横架部の外周に前記シート体の巻回部が形成されることを特徴とする請求項１に記載の除湿・消臭具。
【請求項３】
前記取着機構に対して反対側の縁辺から延設するように前記シート体に一体形成され、前記ボトムス衣類の胴まわり部の内部に挿脱自在な除湿・消臭部を有していることを特徴とする請求項１または請求項２に記載の除湿・消臭具。
【請求項４】
前記除湿・消臭部は、前記シート体が前記ハンガーに取着されて垂下した状態において、水平方向の幅に対する鉛直方向の長さの比率が０．４以上となるように設定されていることを特徴とする請求項３に記載の除湿・消臭具。
【請求項５】
前記シート体が前記ハンガーに取着されて垂下した状態において、水平方向の幅に対する鉛直方向の長さの比率が０．５〜５．０となるように設定されていることを特徴とする請求項３に記載の除湿・消臭具。
【請求項６】
前記シート体および前記除湿・消臭部は、曲げ剛性が４．８（ｇｆ・ｃｍ２／ｃｍ）以上の繊維シートから形成されていることを特徴とする請求項３から請求項５のいずれか１項に記載の除湿・消臭具。
【請求項７】
前記繊維シートは、吸湿繊維の不織布シートであることを特徴とする請求項６に記載の除湿・消臭具。
【発明の詳細な説明】
【技術分野】
【０００１】
本発明は、除湿・消臭具に関し、特に、パンツ、スラックス、スカートなどの所謂ボトムス衣類に有効な除湿・消臭具に関する。
【背景技術】
【０００２】
従来から、日常生活で使用される衣類においては、人体から放出された汗などの水分を吸収したり、また汗などに含まれるニオイが染み込んだりするため、初期の快適さを失ってしまうことが一般によく知られている。そのため、衣類、特に、ジャケットなどの上着（所謂トップス）を消臭、除湿する消臭除湿具に関して、例えば、特許文献１に開示されている。
【先行技術文献】
【特許文献】
【０００３】
【特許文献１】特開２００２−１６５６９３号公報
【発明の概要】
【発明が解決しようとする課題】
【０００４】
ところで、衣類の中でも特に、動きが多く発汗量が多い下半身に着用するパンツ、スラックス、スカートなどの所謂ボトムス衣類は、汗などによる水分、ニオイなどの吸収がジャケットなどの所謂トップスに比して顕著であり、有効な除湿・消臭が望まれている。
【０００５】
しかしながら、特許文献１に開示された消臭除湿具は、ハンガーに掛けて吊るした衣類によって被覆されるようにする場合、ジャケット、コートなどの上半身を被覆するトップス衣類は適しているが、パンツ、スラックス、スカートなどの下半身を被覆するボトムス衣類には適していない。
【０００６】
そこで、本発明は、上記事情に鑑みなされたものあり、パンツ、スラックス、スカートなどのボトムス衣類の除湿および消臭に最適な除湿・消臭具を提供することを目的とする。
【課題を解決するための手段】
【０００７】
上記目的を達成するため本発明の一態様における除湿・消臭具は、除湿剤および／または消臭剤が配合され、ボトムス衣類が掛けられて除湿および／または消臭するシート体と、前記シート体の一方の縁辺部に設けられ、ハンガーの横架部に取着する取着機構と、を具備する。
【発明の効果】
【０００８】
本発明によれば、シート体とパンツ、スラックス、スカートなどのボトムス衣類が接触することでシート体に湿気が移行し、また、衣類とシート体が近接していることにより消臭効果を発揮することができるので、パンツ、スラックス、スカートなどのボトムス衣類の除湿および消臭に最適な除湿・消臭具を提供することができる。
【図面の簡単な説明】
【０００９】
【図１】第１の実施の形態の除湿・消臭具がハンガーに装着されてスラックスが掛けられた状態を示す図
【図２】同、除湿・消臭具の構成を示す平面図
【図３】同、除湿・消臭具がハンガーに装着された状態を示す図
【図４】同、図３のＩＶ−ＩＶ線に沿った除湿・消臭具がハンガーに装着された状態を示す断面図
【図５】同、変形例の除湿・消臭具の構成を示す平面図
【図６】同、変形例の除湿・消臭具がハンガーに装着された状態を示す図
【図７】第２の実施の形態の除湿・消臭具がハンガーに装着されてスラックスが掛けられた状態を示す図
【図８】同、除湿・消臭具がハンガーに装着された状態を示す図
【図９】同、除湿・消臭具がハンガーに装着され折り返し部が折り返された状態を示す図
【図１０】同、除湿・消臭具がハンガーに装着され、スラックスが掛けられた状態を示す断面図
【図１１】同、変形例の除湿・消臭具がハンガーに装着された状態を示す図
【発明を実施するための形態】
【００１０】
本発明の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。
【００１１】
（第１の実施の形態）
図１に示すように、本実施の形態の除湿・消臭具１は、フック部１０１が設けられたハンガー１００に装着されて垂下した状態から、下半身に履く所謂ボトムス衣類である、ここではスラックス２００が、その上から掛けられる繊維シートである。
【００１２】
除湿・消臭具１は、ハンガー１００の２つのショルダー部のそれぞれの端部に連結された横架部１０３の長さ範囲（例えば、１０〜４０ｃｍ）に収まるように幅方向の所定の長さと、折り返されて掛けられるスラックス２００などが収まるように所定の長さと、を有する略矩形状のシート体である。
【００１３】
除湿・消臭具１は、図２に示すように、矩形状のシート本体２と、被取着部としての取着片３と、このシート本体２の一方の短辺側から延設され、シート本体２と取着片３との間に設けられた首部４と、シート本体２における首部４側の近傍にパンチングなどによって形成された取着部としてのスリット部５と、を有している。
【００１４】
なお、スリット部５の両端には、円形の孔部６がパンチングなどによって形成されている。また、首部４は、幅方向の長さが取着片３よりも短く形成され、除湿・消臭具１における括れた形状となっている。
【００１５】
除湿・消臭具１は、シート本体２、取着片３および首部４が一体的に形成され、ここではニードルパンチ不織布などのシート体である。なお、除湿・消臭具１は、不織布シートに限定されず、織布シートなど如何なる繊維シート体の形態としてもよい。
【００１６】
除湿・消臭具１を構成するシート体は、繊維シート体にシリカゲルなどの除湿剤、活性炭などの消臭剤を保持させて形成してもよいし、繊維シート体自体をポリアクリル酸塩などを主成分とした吸湿繊維から形成してもよい。なお、除湿・消臭具１は、消臭剤が配合されず、単に除湿効果のみ得られる吸湿繊維シート体または除湿剤が配合されず、単に消臭効果のみ得られる消臭繊維シート体としてもよい。
【００１７】
このように構成された除湿・消臭具１は、図３および図４に示すように、ハンガー１００の横架部１０３の周りに巻回するように取着片３側の縁辺部分が曲げられて、取着片３がスリット部５に貫通するように挿入されて横架部１０３を被包してハンガー１００に装着される。
【００１８】
即ち、除湿・消臭具１の取着片３とスリット部５とによって、除湿・消臭具１をハンガー１００に装着して取着する取着機構が構成される。
【００１９】
そして、図１に示したように、ハンガー１００に装着された除湿・消臭具１上にスラックス２００などのボトムス衣類が掛けられる。
【００２０】
以上記載した除湿・消臭具１は、一般家庭にあるハンガー１００に容易に装着することができ、下半身に着用するボトムスである衣類（ここではスラックス２００）を普段と同じようにハンガー１００に掛けるだけでボトムス衣類の除湿・消臭を行うことができる。
【００２１】
したがって、本実施の形態の除湿・消臭具１は、パンツ、スラックス、スカートなどのボトムス衣類に吸収された汗などによる水分、ニオイを効率よく除湿・消臭することができる構成となっている。
【００２２】
なお、取着機構の１つであって被取着部の取着片３が挿入保持される取着部としてのスリット部５および孔部６は、シート本体２へのパンチング加工により容易に形成できるため生産性が非常に良いものとなる。
【００２３】
さらに、ハンガー１００に装着された除湿・消臭具１は、ハンガー１００の横架部１０３を被包することで、図４のＲで示すような所定の曲率の巻回部１０が形成される。これにより、除湿・消臭具１上に掛けられるボトムス衣類が除湿・消臭具１の巻回部１０上に緩やかに折り返されるため、ハンガー１００の横架部１０３によって生じていた折目、シワなどを防止することもできる。
【００２４】
また、除湿・消臭具１は、湿気を吸っても、天日に干すだけで除湿効果を復活させることができ、繰り返し使用可能である。なお、除湿・消臭具１に吸湿センサーを設けてもよい。
【００２５】
（変形例）
図５および図６に示すように、除湿・消臭具１をハンガー１００に装着して取着する取着機構は、取着片３側にスリット部５および２つの孔部６を形成して、シート本体２をスリット部５に通す構成としてもよい。なお、取着機構は、面ファスナー、釦、フックなどの種々の構成としてもよい。
【００２６】
（第２の実施の形態）
本実施の形態の除湿・消臭具１は、図７に示すように、スラックス２００の胴まわり部２０１の内部に挿脱自在であって除湿・消臭部となる折り返し部７を有している。
【００２７】
除湿・消臭具１の折り返し部７は、図８に示すように、シート本体２の取着片３側とは反対側の縁辺部分から延出するように形成されている。即ち、除湿・消臭具１は、ハンガー１００に装着された状態において、折り返し部７が垂下側に延出した状態となる。
なお、スラックス２００に当接するシート本体２の部分はスラックス２００よりも太い幅にすると、スラックス２００外側全体に当接するため除湿効果を発揮しやすく、それに対して折り返し部７をやや幅狭に形成することで、スラックス２００の胴まわり部２０１の内部に差し込みやすくするとともに、折り返し位置を示すことができる。
【００２８】
ここで、除湿・消臭具１をハンガー１００に吊るした垂下状態において、折り返し部７の鉛直方向の長さＬｆおよび水平方向の幅Ｗｆの関係は、幅Ｗｆに対する長さＬｆの比率が０．４以上（Ｌｆ／Ｗｆ≧０．４）となるように設定されている。
【００２９】
なお、折り返し部７の幅Ｗｆに対する長さＬｆの比率が０．４未満（Ｌｆ／Ｗｆ＜０．４）とすると、長さＬｆが短すぎて、スラックス２００の胴まわり部２０１の内部に折り返し部７を十分に差し込むことができない。
【００３０】
また、折り返し部７の幅Ｗｆは、子供用から大人用の一般的なパンツ、スラックス（２００）、スカートなどのボトムス衣類の胴まわり寸法に基づき、１５〜６０ｃｍ（１５ｃｍ≦Ｗｆ≦６０ｃｍ）とすることが好ましい。
【００３１】
次いで、除湿・消臭具１をハンガー１００に吊るした垂下状態において、鉛直方向の全体の長さＬｔおよび水平方向の幅Ｗｔの関係は、幅Ｗｔに対する長さＬｔの比率が０．５〜５．０（＝０．５≦Ｌｔ／Ｗｔ≦５．０）となるように設定されている。
【００３２】
ハンガー１００に吊るした垂下状態の除湿・消臭具１の幅Ｗｔに対する長さＬｔの比率が０．５未満（Ｌｔ／Ｗｔ＜０．５）であると、折り返し部７の長さＬｆを十分に確保できず、スラックス２００の胴まわり部２０１から内部に折り返し部７を十分に差し込むことができない。
【００３３】
一方、ハンガー１００に吊るした垂下状態の除湿・消臭具１の幅Ｗｔに対する長さＬｔの比率が５．０より大きい（Ｌｔ／Ｗｔ＞５．０）と、折り返し部７の長さＬｆが長くなり、シート本体２がスラックス２００の胴まわり部２０１に沿わなくなってしまい効率よく除湿・消臭ができなくなる。
【００３４】
なお、折り返し部７の長さＬｆを小さくしようとすると、水平方向が細いシート状となってしまい、ハンガー１００の横架部１０３でスラックス２００などのボトムス衣類が折り返される布地に重畳する部分に対するシート本体２の面積が小さくなっていまい効率よく除湿・消臭ができなくなる。
【００３５】
また、除湿・消臭具１は、適度な剛性を備えてスラックス２００などのボトムス衣類にフィットし、さらに、図１０に示すように、胴まわり部２０１の内部に差し込まれた折り返し部７の復元力Ｆにより胴まわり部２０１の内部に所定の体積の空間Ａを形成して除湿効果を高めることが好適である。
【００３６】
例えば、除湿・消臭具１を形成するニードルパンチ不織布は、目付３００〜４００ｇ／ｍ２、曲げ剛性４．８〜１０．２（ｇｆ・ｃｍ２／ｃｍ）が好適である。なお、曲げ剛性はＫＥＳ法によって測定した値である。
【００３７】
以上のように構成された本実施の形態の除湿・消臭具１は、第１の実施の形態の作用効果に加え、パンツ、スラックス（２００）、スカートなどのボトムス衣類に吸収された汗などによる水分およびニオイがこもり易い胴まわり部２０１の内部に折り返し部７が差し込まれて効率よく除湿・消臭することができる構成となる。
【００３８】
（変形例）
図１１に示すように、除湿・消臭具１は、スラックス２００の胴まわり部２０１の内部に差し込まれる折り返し部７が鉛直下方側に向けて水平方向の幅が小さくなるテーパ状に形成された構成としてもよい。
【００３９】
以上の各実施の形態に記載した発明は、それら実施の形態および変形例に限ることなく、その他、実施段階ではその要旨を逸脱しない範囲で種々の変形を実施し得ることが可能である。さらに、上記各実施の形態には、種々の段階の発明が含まれており、開示される複数の構成要件における適宜な組合せにより種々の発明が抽出され得るものである。
【００４０】
例えば、各実施の形態に示される全構成要件から幾つかの構成要件が削除されても、述べられている課題が解決でき、述べられている効果が得られる場合には、この構成要件が削除された構成が発明として抽出され得るものである。
【符号の説明】
【００４１】
１…除湿・消臭具
２…シート本体
３…取着片
４…首部
５…スリット部
６…孔部
７…折り返し部
１０…巻回部
１００…ハンガー
１０１…フック部
１０３…横架部
２００…スラックス
２０１…胴まわり部
Ａ…空間
Ｆ…復元力
【図１】
2020110333.tif 000003
【図２】
2020110333.tif 000004
【図３】
2020110333.tif 000005
【図４】
2020110333.tif 000006
【図５】
2020110333.tif 000007
【図６】
2020110333.tif 000008
【図７】
2020110333.tif 000009
【図８】
2020110333.tif 000010
【図９】
2020110333.tif 000011
【図１０】
2020110333.tif 000012
【図１１】
2020110333.tif 000013